【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
グリノー型の実体顕微鏡の対物レンズ先端に着脱自在に装着されるものであって、所望のグリノー角（内向角）を持つ２つの観察光軸上に対して該観察光軸外より照明光を導き試料を照射する実体顕微鏡用同軸落射照明装置において、
前記２つの観察光軸上に配置され、且つ、前記２つの観察光軸を含む平面を、前記２つの観察光軸の二等分線を中心に９０°回転させた平面に対して略垂直に交差するように配置した半透明鏡と、
前記２つの観察光軸が前記試料側から前記半透明鏡に反射した２つの照明光軸上に配置される光源と
を具備することを特徴とする実体顕微鏡用同軸落射照明装置。
【請求項２】
前記２つの照明光軸は、前記半透明鏡に対して、前記２つの観察光軸が有する所望のグリノー角（内向角）と同じ傾きを有していることを特徴とする請求項１記載の実体顕微鏡用同軸落射照明装置。
【請求項３】
グリノー型の実体顕微鏡の対物レンズ先端に着脱自在に装着されるものであって、所望のグリノー角（内向角）を持つ２つの観察光軸上に対して該観察光軸外より照明光を導き試料を照射する実体顕微鏡用同軸落射照明装置において、
前記２つの観察光軸上に配置され、且つ、前記２つの観察光軸を含む平面を、前記２つの観察光軸の二等分線を中心に９０°回転させた平面に対して略垂直に交差するように配置した半透明鏡と、
前記２つの観察光軸が前記試料側から前記半透明鏡に反射した２つの照明光軸上に配置される光源と、を具備し、
前記２つの照明光軸は、前記半透明鏡に対して、前記２つの観察光軸が有する所望のグリノー角（内向角）と同じ傾きを有していることを特徴とする実体顕微鏡用同軸落射照明装置。
【請求項４】
前記半透明鏡を、試料面に対して４５°よりも鋭角に（平行近辺の角度に）配置して、ミラーを前記２つの観察光軸が前記試料側から前記半透明鏡により反射した方向に配置し、前記ミラーにより反射した前記２つの照明光軸上にそれぞれの光源を配置したことを特徴とする請求項１乃至３のいずれか１項に記載の実体顕微鏡用同軸落射照明装置。
【請求項５】
前記２つの照明光軸上に、前記２つの照明光軸を含む平面に対して略垂直に交差するように配置したミラーと、前記ミラーにより前記２つの照明光軸が反射した軸上に光源を配置したことを特徴とする請求項１乃至３のいずれか１項に記載の実体顕微鏡用同軸落射照明装置。
【請求項６】
前記半透明鏡は、前記２つの観察光軸を含む平面に対して４５°を成すように配置したことを特徴とする請求項１乃至３のいずれか１項に記載の実体顕微鏡用同軸落射照明装置。
【請求項７】
前記２つの照明光軸を含む平面は、前記２つの観察光軸を含む平面に垂直、且つ前記試料面と平行であることを特徴とする請求項１乃至３のいずれか１項に記載の実体顕微鏡用同軸落射照明装置。
【請求項８】
前記試料から前記半透明鏡により反射した前記２つの照明光軸上に、それぞれ２つのコンデンサレンズと、２つの照明用ファイバーと、を具備することを特徴とする請求項１乃至５のいずれか１項に記載の実体顕微鏡用同軸落射照明装置。
【請求項９】
前記２つの照明光軸上に、フィルタを挿着可能なフィルタ挿入部を具備することを特徴とする請求項１乃至５のいずれか１項に記載の実体顕微鏡用同軸落射照明装置。
【手続補正２】
【補正対象書類名】明細書
【補正対象項目名】００１１
【補正方法】変更
【補正の内容】
【００１１】
【課題を解決するための手段】
この発明は、グリノー型の実体顕微鏡の対物レンズ先端に着脱自在に装着されるものであって、所望のグリノー角（内向角）を持つ２つの観察光軸上に対して該観察光軸外より照明光を導き試料を照射する実体顕微鏡用同軸落射照明装置において、前記２つの観察光軸上に配置され、且つ、前記２つの観察光軸を含む平面を、前記２つの観察光軸の二等分線を中心に９０°回転させた平面に対して略垂直に交差するように配置した半透明鏡と、前記２つの観察光軸が前記試料側から前記半透明鏡に反射した２つの照明光軸上に配置される光源とを備えて構成した。
また、この発明の２つの照明光軸は、前記半透明鏡に対して、前記２つの観察光軸が有する所望のグリノー角（内向角）と同じ傾きを有する構成とした。
【手続補正３】
【補正対象書類名】明細書
【補正対象項目名】００１３
【補正方法】変更
【補正の内容】
【００１３】
また、この発明は、前記半透明鏡を、試料面に対して４５°よりも鋭角に（平行近辺の角度に）配置して、ミラーを前記２つの観察光軸が前記試料側から前記半透明鏡により反射した方向に配置し、前記ミラーにより反射した前記２つの照明光軸上にそれぞれの光源を配置する構成とした。
【手続補正４】
【補正対象書類名】明細書
【補正対象項目名】００１５
【補正方法】変更
【補正の内容】
【００１５】
また、この発明は、前記２つの照明光軸上に、前記２つの照明光軸を含む平面に対して略垂直に交差するように配置したミラーと、前記ミラーにより前記２つの照明光軸が反射した軸上に光源を配置して構成した。
また、この発明の半透明鏡は、前記２つの観察光軸を含む平面に対して４５°を成すように配置した構成とした。
また、この発明の２つの照明光軸を含む平面は、前記２つの観察光軸を含む平面に垂直、且つ前記試料面と平行である構成とした。
上記構成によれば、照明光軸上に配置したミラーに対向して配置した光源からの光は、ミラーを介して半透明鏡により対物レンズの光軸と同軸方向に反射されて試料に照射される。これにより、低倍から高倍までの高精度な同軸落射観察を実現したうえで、さらに、光源をサイドに配置することが可能となり、その配置構成の自由度が得られると共に、奥行き方向の薄型化の促進が図れる。
【手続補正５】
【補正対象書類名】明細書
【補正対象項目名】００１６
【補正方法】変更
【補正の内容】
【００１６】
また、この発明の試料から前記半透明鏡により反射した前記２つの照明光軸上に、それぞれ２つのコンデンサレンズと、２つの照明用ファイバーと、を具備する構成とした。
また、この発明の２つの照明光軸上に、フィルタを挿着可能なフィルタ挿入部を具備する構成とした。
上記構成によれば、前記フィルタ挿入部に、例えば淡青色フィルタや照明光のムラを取り除く為のフロスト等が選択的に挿着できる。
【手続補正６】
【補正対象書類名】明細書
【補正対象項目名】００３６
【補正方法】変更
【補正の内容】
【００３６】
また、図７及び図８に示す第３の実施の形態では、枠１０に対して、半透明鏡１１２を観察光軸ｍ１、ｍ２と照明光軸ｎ１、ｎ２の交点に配置する。そして、枠体の２つの照明光軸ｎ１、ｎ２上には、ミラー２２１、２２２が配置され、このミラー２２１、２２２により偏向された光軸ｋ１、ｋ２上には、コンデンサレンズ１２１、１２２が配置される。
【手続補正７】
【補正対象書類名】図面
【補正対象項目名】図４
【補正方法】変更
【補正の内容】
【図４】
2004029575.tif 000001
【手続補正８】
【補正対象書類名】図面
【補正対象項目名】図６
【補正方法】変更
【補正の内容】
【図６】
2004029575.tif 000002
【手続補正９】
【補正対象書類名】図面
【補正対象項目名】図７
【補正方法】変更
【補正の内容】
【図７】
2004029575.tif 000003